(57)【要約】【課題】通信販売等でデジタルペンを利用して商品を発注する商品発注システム及び発注方法を提供する。【解決手段】少なくとも筆記手段，撮像手段，記憶手段，通信手段を有し、通信販売会社側から会員に貸与されるデジタルペンと、デジタルペン専用ドットパターンが印刷された注文シート付き商品カタログと、商品パッケージまたは容器に貼付され、デジタルペン専用ドットパターンが印刷された注文ラベルと、通販サーバと、デジタルペンシステムサービス会社側の筆記イメージ情報をデジタル情報に変換するデジタルペン専用サーバと、会員側の、少なくとも通信手段を有する通信端末と、からなる商品発注システムを提供する。【選択図】  図１
2006195624.tif 000002
【特許請求の範囲】
【請求項１】
少なくとも筆記手段，撮像手段，記憶手段，通信手段を有し、通信販売会社側から会員に貸与されるデジタルペンと、デジタルペン専用ドットパターンが印刷された注文シート付き商品カタログと、商品パッケージまたは容器に貼付され、デジタルペン専用ドットパターンが印刷された注文ラベルと、通販サーバと、
デジタルペンシステムサービス会社側の筆記イメージ情報をデジタル情報に変換するデジタルペン専用サーバと、
会員側の、少なくとも通信手段を有する通信端末と、
からなることを特徴とする商品発注システム。
【請求項２】
請求項１に記載の商品発注システムにおいて、注文ラベルには少なくとも商品コード，注文個数，希望納入日の何れか１項目の記入欄とチェックボックスが形成されたことを特徴とする商品発注システム。
【請求項３】
請求項１に記載の商品発注システムにおいて、
通信販売会社側から会員に貸与されるデジタルペンには、会員識別情報が、書き換え不能，送信可能に記録されていることを特徴とする商品発注システム。
【請求項４】
請求項２〜３に記載の商品発注システムにおいて、
デジタルペンによって注文シートまたは注文ラベルに記載された注文情報と、会員識別情報は、デジタルペンの通信手段によって通信端末を介して、デジタルペン専用サーバ経由で販促サーバに送信されることを特徴とする商品発注システム。
【請求項５】
請求項１〜４何れか１項に記載の商品発注システムを利用した商品発注方法であって、
少なくとも、通信販売会社側が会員に商品カタログを送付するステップと、会員側が商品を発注するステップと、通信販売会社側が会員に注文ラベルが貼付された商品と会員識別情報が記録されたデジタルペンを配送するステップと、会員側がデジタルペンと商品に貼付された発注ラベルと通信端末によって商品を発注するステップと、
を含むことを特徴とする商品発注方法。
【請求項６】
請求項５に記載の商品発注方法において、
商品を発注するステップでは、商品カタログに添付された注文シートまたは注文ラベルの、商品コード，注文個数，希望納入日の少なくとも何れか１項目に注文情報をデジタルペンを使用して記載し、チェックボックスにチェックマークを記載して商品を発注することを特徴とする商品発注方法。
【発明の詳細な説明】
【技術分野】
【０００１】
本発明は、商品発注システム及び発注方法に関し、詳しくは通信販売等でデジタルペンを利用して商品を発注する商品発注システム及び発注方法に関する。
【背景技術】
【０００２】
従来から、通信販売などで商品を注文するための安全で便利な技術が多数提案されている。
例えば、端末から商品コードを手入力する最もオーソドックスな手法（例えば、特許文献１参照）や、商品コードを入力するために、商品や、カタログなどに印刷されたバーコードを読み取って、通信手段によって自動入力する技術が提案されている（例えば、特許文献２，３参照）。
また、特許文献２，３で提案されているバーコードを二次元コード化し、携帯電話に接続された専用読取装置、または、カメラ付き携帯電話で読み取らせるシステムが提案されている（例えば、特許文献４参照）。
【０００３】
【特許文献１】特開２００３−２５６６８３号公報
【特許文献２】特開平７−１１４５９８号公報
【特許文献３】特開２００１−３４４５３２号公報
【特許文献４】特開２００４−７８５７３号公報
【発明の開示】
【発明が解決しようとする課題】
【０００４】
例えば、前述の特許文献１で提案されている技術は、会員コードその他必要項目を入力するために時間を要し、また、誤入力する可能性を含んでいる。
また、特許文献２，特許文献３で提案されている技術は、商品コードを入力する方法については、入力時間の削減，誤入力防止の面で効果はあるものの、バーコード読取りのためにアプリケーションプログラムを立ち上げたり、申し込みサイトにアクセスするための各種情報入力のために多大な時間を消費する。
また、特許文献４で提案されている技術は、従来のバーコードでは記録容量が少なくて記録できなかったアクセス先のＵＲＬや、その他商品識別情報等多くの情報が記録可能になり、注文までの手順が簡素化されたものの、基本的なプロセスは変わっていない。
【課題を解決するための手段】
【０００５】
前記課題を解決するために、本発明の商品発注システムの請求項１に記載の発明は、少なくとも筆記手段，撮像手段，記憶手段，通信手段を有し、通信販売会社側から会員に貸与されるデジタルペンと、デジタルペン専用ドットパターンが印刷された注文シート付き商品カタログと、商品パッケージまたは容器に貼付され、デジタルペン専用ドットパターンが印刷された注文ラベルと、通販サーバと、デジタルペンシステムサービス会社側の筆記イメージ情報をデジタル情報に変換するデジタルペン専用サーバと、会員側の、少なくとも通信手段を有する通信端末と、からなることを特徴とするものである。
【０００６】
また、請求項２に記載の発明は、請求項１に記載の発明において、注文ラベルには少なくとも商品コード，注文個数，希望納入日の何れか１項目の記入欄とチェックボックスが形成されたことを特徴とするものである。
【０００７】
また、請求項３に記載の発明は、請求項１に記載の発明において、通信販売会社側から会員に貸与されるデジタルペンには、会員識別情報が、書き換え不能，送信可能に記録されていることを特徴とするものである。
【０００８】
また、請求項４に記載の発明は、請求項２〜３に記載の商品発注システムにおいて、デジタルペンによって注文シートまたは、注文ラベルに記載された注文情報と会員識別情報は、デジタルペンの通信手段によって通信端末を介してデジタルペン専用サーバ経由で販促サーバに送信されることを特徴とするものである。
【０００９】
また、請求項５に記載の発明は、請求項１〜４何れか１項に記載の商品発注システムを利用した商品発注方法であって、少なくとも、通信販売会社側が会員に商品カタログを送付するステップと、会員側が商品を発注するステップと、通信販売会社側が会員に注文ラベルが貼付された商品と会員識別情報が記録されたデジタルペンを配送するステップと、会員側がデジタルペンと商品に貼付された発注ラベルと通信端末によって商品を発注するステップを含むことを特徴とするものである。
【００１０】
また、請求項６に記載の発明は、請求項５に記載の発明において、商品を発注するステップでは、商品カタログに添付された注文シートまたは注文ラベルの、商品コード，注文個数，希望納入日の少なくとも何れか１項目に注文情報をデジタルペンを使用して記載し、チェックボックスにチェックマークを記載して商品を発注することを特徴とするものである。
【発明の効果】
【００１１】
１）請求項１に記載のように、少なくとも筆記手段，撮像手段，記憶手段，通信手段を有し、通信販売会社側から会員に貸与されるデジタルペンと、デジタルペン専用ドットパターンが印刷された注文シート付き商品カタログと、商品パッケージまたは容器に貼付され、デジタルペン専用ドットパターンが印刷された注文ラベルと、通販サーバと、デジタルペンシステムサービス会社側の筆記イメージ情報をデジタル情報に変換するデジタルペン専用サーバと、会員側の、少なくとも通信手段を有する通信端末と、からなることによって、デジタルペンで注文シートや、注文ラベルに必要事項を記載するという、簡単で、自然な作業によって商品を注文することができ、手書きで記載した注文情報を手元に残すことができる。
２）また、請求項２に記載のように、請求項１に記載の発明において、注文ラベルには少なくとも商品コード，注文個数，希望納入日の何れか１項目の記入欄とチェックボックスが形成されたことによって、商品を消耗しリピードオーダーする際に、商品を間違うことがなく発注することができる。注文ラベルに商品コードが印刷されていれば、更に手間が省ける。
３）また、請求項３に記載のように、請求項１に記載の発明において、通信販売会社側から会員に貸与されるデジタルペンには、会員識別情報が、書き換え不能，送信可能に記録されていることによって、注文ラベルに記載するだけで、会員コードは自動的に送信され会員情報の入力ミスによるトラブルを防ぐことができる。
４）また、請求項４に記載のように、請求項２〜３に記載の商品発注システムにおいて、デジタルペンによって注文シートまたは、注文ラベルに記載された注文情報と会員識別情報は、デジタルペンの通信手段によって通信端末を介してデジタルペン専用サーバ経由で販促サーバに送信されることによって、会員は、注文ラベルに商品情報を記入するだけで商品を発注することができる。
【発明を実施するための最良の形態】
【００１２】
以下、図面を参照して、本発明の商品発注システム、及び、商品発注方法について説明する。図１は、本発明の商品発注システムを構築するための機器，媒体の一例を示す構成図，図２は、ドットパターンの一例について説明するための図，図３は、注文ラベルの一例について説明するための図，図４は、本発明の商品発注システムを使用した商品発注方法について説明するための図，図５は、デジタルペンによる注文ラベルへの入力方法について説明するための図，である。
【００１３】
本実施形態では、デジタルペン、および、注文ラベルは、スウェーデン国のＡｎｏｔｏ社で開発されたアノトペン、および、アノトペン専用ドットパターン（以下、デジタルペン専用ドットパターンという。）を印刷した注文ラベルを使用した例で説明する。
また、商品を提供する側は通信販売会社（以下、通販会社という。）、商品を注文する側は、クレジットカード、または、友の会等の会員の例で説明する。
【００１４】
図１を参照して、本発明の商品発注システムを構築するための機器，媒体の一例について説明する。
先ず、通販会社側の商品カタログ発送手段は、会員に対して通信販売商品カタログ２２を送付する。通販会社には、会員の通信端末３から商品の注文を受けるための通販サーバ４が備えられている。
通販サーバ４には、会員マスタ４１や、商品マスタ４２が接続されている。
また通販会社側は、会員コードに関連付けられたデジタルペン識別情報が書き込まれ、会員に貸与するデジタルペン１，商品に貼付される注文ラベル２１を準備する。
一方、会員には、綴じ込みで注文シート（図示せず）が貼付された商品カタログ２２が定期的に配送される。
配送される商品に貼付される注文ラベル２１，商品カタログ２２に添付される注文シートにはデジタルペン専用ドットパターンが印刷されている。
【００１５】
デジタルペン専用ドットパターンが印刷された注文ラベルや、注文シートにデジタルペンで文字を記載してチェックボックスにチェックを記載するとデジタルペン１は、通信端末３に筆記情報とデジタルペン識別情報を送信する。
通信端末３は、デジタルペン関連情報を処理するために設けられている専用サーバＡ１０１に筆記情報を送信する。
専用サーバＡ１０１は、受信したドットパターンを解読して、手書きで記載された商品情報を、例えば、テキストデータに変換するサーバのＵＲＬを通信端末３に返信する。
通信端末３は、返信された専用サーバＢ１０２のＵＲＬに筆記情報とデジタルペン識別情報を送信する。専用サーバＢ１０２に送信された情報は、例えばテキストデータに変換され、通販サーバ４に筆記データとして送信される。
【００１６】
デジタルペン１は、インクカートリッジを伴った筆記部，デジタルペン専用ドットパターンを読み取るデジタルカメラ部，デジタルカメラで読み取られた筆記情報を記憶する記憶部，通信端末に記載情報を送信する通信部等を、ペン軸内部に搭載し、注文ラベル等に印刷されたドット情報をデジタルカメラ部で読み取って記憶部で記憶し、通信部で通信端末３に送信する。
外部とのインターフェイスは、ＵＳＢ（Ｕｎｉｖｅｒｓａｌ  Ｓｅｒｉａｌ  Ｂｕｓ），Ｂｌｕｅｔｏｏｔｈに対応している。
【００１７】
また、通信端末３は、パーソナルコンピュータ，ＰＤＡ（Ｐｅｒｓｏｎａｌ  Ｄｉｇｉｔａｌ  Ａｓｓｉｓｔａｎｃｅ）その他通信機能を有する装置で、携帯電話等で代行することもできる。
通信端末３は、デジタルペン１から送信された筆記情報とデジタルペン識別情報をＵＳＢや、Ｂｌｕｅｔｏｏｔｈ対応のインターフェイスで受信し、ＰＬＳ（Ｐａｐｅｒ  Ｌｏｏｋ−ｕｐ  Ｓｅｒｖｉｃｅ）と呼ばれる専用サーバＡ１０１に送信する。
【００１８】
専用サーバＡ１０１は、受信したドットパターンの配列情報を読み取って、そのドット配置内容の解読を担当するサーバ（図で示す専用サーバＢ１０２）のＵＲＬ（Ｕｎｉｆｏｒｍ  Ｒｅｓｏｕｒｃｅ  Ｌｏｃａｔｏｒ）を通信端末３に送信する。
通信端末３は、前記アプリケーション分野を担当するＡＳＨ（Ａｐｐｒｉｃａｔｉｏｎ  Ｓｅｒｖｉｃｅ  Ｈａｎｄｌｅｒ）と呼ばれる専用サーバＢ１０２のＵＲＬにデジタルペンから送信された筆記情報の座標データと、デジタルペン識別情報を送信する。
専用サーバＢ１０２は、通信端末３から受信した筆記データをアプリケーションプログラムによって編集し、例えばテキストデータとして通販サーバ４に送信する。
【００１９】
通販サーバ４は、商品マスタ４２から、受信した商品コードに対応する商品を指定し、会員マスタ４１から、会員の住所氏名などの顧客情報を読み出して、数量情報と、希望納入日情報を添えて商品配送センタのコンピュータ（図示せず）に送信する。
【００２０】
図２を参照して、Ａｎｏｔｏ社のデジタルペン専用ドットパターンの一例について説明する。
アノトペン専用フォーマット（デジタルペン専用ドットパターン）印刷紙は、図２のa図に示すような小さなドットが紙面一杯に印刷された紙である（実際に使用されるデジタルペン専用ドットパターン印刷紙にはa図に示す碁盤目状の罫線は印刷されていない）。
前記デジタルペン専用ドットパターンは、１辺が０．３ｍmの正方形の周辺に１個の小さなドット（点）が形成され、前記正方形が碁盤目状に紙面一杯に敷き詰められ、ドットはデジタルペンの撮像部で認識可能な有色のインキで印刷されている。
ｂ図は、a図のデジタルペン専用ドットパターンのそれぞれのドットを数値に変換した場合の一例である。
Ａｎｏｔｏ社のシステムでは、前記ドット３６個（面積に換算すると約４ｍｍ2）を１単位情報として扱っている。
【００２１】
デジタルペンで、デジタルペン専用ドットパターン紙上に文字を描くと、ペン先がどの位置をなぞっているか、紙面に印刷されたドットパターンをデジタルペンに内蔵されたデジタルカメラで読み取って、ペン先が移動した情報単位の軌跡をデジタルペンの記録部に記録するようになっている。
少なくとも、１つのアプリケーションには、同一のドットパターンが存在しないように管理されている。
前述のＰＬＳサーバ（専用サーバＡ１０１）は、通信端末から送信されたドットパターン情報から、使用されているアプリケーションを割り出して、そのアプリケーションを管理しているＡＳＨサーバ（専用サーバＢ１０２）のＵＲＬを通信端末に送り返す。
Ａｎｏｔｏ社のシステムが利用されている地域によっては、ＰＬＳサーバとＡＳＨサーバが１つになっている場合もある。
【００２２】
図３を参照して、注文ラベルの一例について説明する。
注文ラベル２１には、前述のデジタルペン専用ドットパターンが印刷され、ドットパターン上に商品コード記入欄２１１，数量記入欄２１２，希望納入日記入欄２１３の表示文字，チェックボックス表示枠２１４が印刷されている。
商品コード記入欄２１１には、会員自ら商品コードを記入しても、事前に印刷されていてもよい。商品コードが事前に印刷されている場合は、デジタルペンで印刷されている記号や文字をなぞってもよいし、チェックボックス表示枠２１４にチェックを記入するときに商品コードを認識（注文ラベルを印刷する際に事前に関連付けしておく。）するようにしてもよい。
注文ラベル２１は、裏側に接着剤が塗布されて商品貼付されている。
【００２３】
図４を参照して、本発明の商品発注システムを使用した商品発注方法について説明する。
先ず、通販側から注文シート綴じ込みカタログを会員宛に送付する（ステップ１；以下Ｓ１という。）。
今まで一度も商品を発注したことがない会員側は、カタログを見て綴じ込んである注文シートに、商品名，個数，希望納入日，会員コード，会員の住所，氏名等を記載して注文シートを送付、または、ＦＡＸなどを使用して商品を発注する（Ｓ２）。
通販側は、発注された商品と、会員情報、または、デジタルペン識別情報が記録されたデジタルペンを会員が記載した住所に配送する（Ｓ３）。
会員は商品を消耗する。
会員は、再び同一の商品を購入することにし、容器に貼付された注文ラベルに商品コード，数量，希望納入日などの発注項目を記載する（Ｓ４）。
注文ラベルは、商品に貼付されていても、説明書に貼付されていても、包装材料に貼付されていてもよい。
また、注文ラベルに印刷されている内容が説明書に印刷されていても、包装材料に印刷されていてもよい。
手持ちの通信端末を介して通販サーバに注文情報を送信する（Ｓ５）。
【００２４】
図５を参照して、デジタルペンによる注文ラベルへの入力方法について説明する。
デジタルペンを通信端末に接続する（Ｓ１１）。接続手段がＵＳＢの場合は有線で、Ｂｌｕｅｔｏｏｔｈの場合は無線で通信端末に接続し記載データを送信する。
デジタルペンの電源をＯＮにし（Ｓ１２）、注文ラベル、または、注文シートに先ず商品コードを記載する（Ｓ１３）。次いで、注文個数を記載する（Ｓ１４）。次いで、希望納入日を記載する（Ｓ１５）。記載内容を確認して、チェックボックスチェックマークを記載する（Ｓ１６）。通信端末に記載データを送信し発注する（Ｓ１７）。
【産業上の利用可能性】
【００２５】
各種通信販売システムに利用できる。
【図面の簡単な説明】
【００２６】
【図１】本発明の商品発注システムを構築するための機器，媒体の一例を示す構成図である。
【図２】ドットパターンの一例について説明するための図である。
【図３】注文ラベルの一例について説明するための図である。
【図４】本発明の商品発注システムを使用した商品発注方法について説明するための図である。
【図５】デジタルペンによる注文ラベルへの入力方法について説明するための図である。
【符号の説明】
【００２７】
１      デジタルペン
２ａ    アノトペン専用ドットパターン，デジタルペン専用ドットパターン
２ｂ    数値化ドットパターンの一例
３      通信端末
４      通販サーバ
２１    注文ラベル
２２    商品カタログ
４１    会員マスタ
４２    商品マスタ
１０１，１０２  （デジタルペン）専用サーバ
２１１  商品コード記入欄、または、商品コード表示欄
２１２  数量記載欄
２１３  希望納入日記載欄
２１４  チェックボックス表示枠
【図１】
2006195624.tif 000003
【図２】
2006195624.tif 000004
【図３】
2006195624.tif 000005
【図４】
2006195624.tif 000006
【図５】
2006195624.tif 000007